(57)【特許請求の範囲】
【請求項１】
第１端部と、第２端部と、を備えたコネクタと、
複数の同軸電線を含み、前記第１端部に接続された多心ケーブルと、
を有し、
前記コネクタは、コネクタ端子を覆う金属製のカバーを前記第２端部に有し、
前記複数の同軸電線は、それぞれ第１シールド層を有し、
前記第１シールド層と前記カバーとが電気的に接続されており、
前記コネクタは、
前記複数の同軸電線に含まれる第１同軸電線が接続される第１面を備えた基板と、
前記第１同軸電線が接続された前記第１面を覆い、前記カバーと前記第１同軸電線の前記第１シールド層とに接続される第１金属板と、
を有し、
前記第１金属板は、
第１本体部と、
前記第１本体部から延出し、前記第１同軸電線の前記第１シールド層に接続される第１弾性部材と、
を有し、
前記第１弾性部材は、前記第１同軸電線を前記基板に押し付けるコネクタ付き多心ケーブル。
【請求項２】
前記第１弾性部材は、第１板ばねである請求項１に記載のコネクタ付き多心ケーブル。
【請求項３】
第１端部と、第２端部と、を備えたコネクタと、
複数の同軸電線を含み、前記第１端部に接続された多心ケーブルと、
を有し、
前記コネクタは、コネクタ端子を覆う金属製のカバーを前記第２端部に有し、
前記複数の同軸電線は、それぞれ第１シールド層を有し、
前記第１シールド層と前記カバーとが電気的に接続されており、
前記コネクタは、
前記複数の同軸電線に含まれる第１同軸電線が接続される第１面を備えた基板と、
前記第１同軸電線が接続された前記第１面を覆い、前記カバーと前記第１同軸電線の前記第１シールド層とに接続される第１金属板と、
を有し、
前記基板は、前記第１面とは反対側に、前記複数の同軸電線に含まれる第２同軸電線が接続される第２面を備え、
前記コネクタは、前記第２同軸電線が接続された前記第２面を覆い、前記カバーと前記第２同軸電線の前記第１シールド層とに接続される第２金属板を有し、
前記第２金属板は、
第２本体部と、
前記第２本体部から延出し、前記第２同軸電線の前記第１シールド層に接続される第２弾性部材と、
を有し、
前記第２弾性部材は、前記第２同軸電線を前記基板に押し付けるコネクタ付き多心ケーブル。
【請求項４】
前記第２弾性部材は、第２板ばねである請求項３に記載のコネクタ付き多心ケーブル。
【請求項５】
前記第１金属板と前記第２金属板とが互いに連結されている請求項３または請求項４に記載のコネクタ付き多心ケーブル。
【請求項６】
前記コネクタは、前記多心ケーブルの一端が挿入された外装を有し、
前記カバーの一部が前記外装から露出している請求項１から請求項５のいずれか１項に記載のコネクタ付き多心ケーブル。
【請求項７】
前記多心ケーブルは、前記複数の同軸電線を覆う第２シールド層を備え、
前記第１金属板は、前記第２シールド層に接続される請求項１から請求項６のいずれか１項に記載のコネクタ付き多心ケーブル。
【請求項８】
第１端部と、第２端部と、を備えたコネクタと、
複数の同軸電線を含み、前記第１端部に接続された多心ケーブルと、
を有し、
前記コネクタは、コネクタ端子を覆う金属製のカバーを前記第２端部に有し、
前記複数の同軸電線は、それぞれ第１シールド層を有し、
前記第１シールド層と前記カバーとが電気的に接続されており、
前記コネクタは、
前記多心ケーブルの一端が挿入された外装と、
前記複数の同軸電線に含まれる第１同軸電線が接続される第１面と、前記複数の同軸電線に含まれる第２同軸電線が接続される第２面とを備えた基板と、
前記第１同軸電線が接続された前記第１面を覆い、前記カバーと前記第１同軸電線の前記第１シールド層とに接続される第１金属板と、
前記第２同軸電線が接続された前記第２面を覆い、前記カバーと前記第２同軸電線の前記第１シールド層とに接続される第２金属板と、
を有し、
前記カバーの一部が前記外装から露出しており、
前記第１金属板は、
第１本体部と、
前記第１本体部から延出し、前記第１同軸電線の前記第１シールド層に接続される第１板ばねと、
を有し、
前記第２金属板は、
第２本体部と、
前記第２本体部から延出し、前記第２同軸電線の前記第１シールド層に接続される第２板ばねと、
を有し、
前記第１板ばねは、前記第１同軸電線を前記基板に押し付け、
前記第２板ばねは、前記第２同軸電線を前記基板に押し付け、
前記第１金属板と前記第２金属板とが互いに連結されているコネクタ付き多心ケーブル。
【発明の詳細な説明】
【技術分野】
【０００１】
本開示は、コネクタ付き多心ケーブルに関する。
【背景技術】
【０００２】
電子機器間の伝送に用いられるコネクタ付き多心ケーブルとして、コネクタの上下を問わずに電子機器に接続できるコネクタ付き多心ケーブルが開示されている（特許文献１）。
【先行技術文献】
【特許文献】
【０００３】
【特許文献１】日本国特開２０１７−６９１５２号公報
【発明の概要】
【０００４】
本開示のコネクタ付き多心ケーブルは、第１端部と、第２端部と、を備えたコネクタと、複数の同軸電線を含み、前記第１端部に接続された多心ケーブルと、を有し、前記コネクタは、コネクタ端子を覆う金属製のカバーを前記第２端部に有し、前記複数の同軸電線は、それぞれ第１シールド層を有し、前記第１シールド層と前記カバーとが電気的に接続されている。
【図面の簡単な説明】
【０００５】
【図１】図１は、実施形態に係るコネクタ付き多心ケーブルを示す上面図である。
【図２】図２は、実施形態に係るコネクタ付き多心ケーブルを示す側面図である。
【図３】図３は、多心ケーブルの構成の概略を示す図である。
【図４】図４は、コネクタの構成を示す斜視図である。
【図５】図５は、上枠を示す斜視図である。
【図６】図６は、上枠を示す下面図である。
【図７】図７は、下枠を示す斜視図である。
【図８】図８は、下枠を示す上面図である。
【図９】図９は、第１基板を示す上面図である。
【図１０】図１０は、第１基板を示す下面図である。
【図１１】図１１は、第１基板、多心ケーブル及びコネクタプラグを示す上面図である。
【図１２】図１２は、第１基板、多心ケーブル及びコネクタプラグを示す下面図である。
【図１３】図１３は、金属製の枠と同軸電線との関係を示す斜視断面図である。
【発明を実施するための形態】
【０００６】
［本開示が解決しようとする課題］
特許文献１に記載の技術によれば、所期の目的は達成されるものの、信号の周波数がより高くなった場合にノイズが大きくなるおそれがある。
【０００７】
［本開示の効果］
本開示によれば、ノイズをより低減できる。
【０００８】
実施するための形態について、以下に説明する。
【０００９】
［本開示の実施形態の説明］
最初に本開示の実施態様を列記して説明する。以下の説明では、同一または対応する要素には同一の符号を付し、それらについて同じ説明は繰り返さない。
【００１０】
〔１〕  本開示の一態様に係るコネクタ付き多心ケーブルは、第１端部と、第２端部と、を備えたコネクタと、複数の同軸電線を含み、前記第１端部に接続された多心ケーブルと、を有し、前記コネクタは、コネクタ端子を覆う金属製のカバーを前記第２端部に有し、前記複数の同軸電線は、それぞれ第１シールド層を有し、前記第１シールド層と前記カバーとが電気的に接続されている。
【００１１】
本開示の一態様に係るコネクタ付き多心ケーブルでは、同軸電線の第１シールド層と金属製のカバーとが電気的に接続されている。このため、第１シールド層には、金属製のカバーを通じてグランド電位を供給できる。従って、同軸電線を通じて伝送される信号のノイズを低減できる。
【００１２】
〔２〕  〔１〕において、前記コネクタは、前記多心ケーブルの一端が挿入された外装を有し、前記カバーの一部が前記外装から露出していてもよい。この場合、金属製のカバーを電子機器に接続可能としながら、多心ケーブルの外装の内側の部分を外部から絶縁できる。
【００１３】
〔３〕  〔１〕又は〔２〕において、前記コネクタは、前記複数の同軸電線に含まれる第１同軸電線が接続される第１面を備えた基板と、前記第１同軸電線が接続された前記第１面を覆い、前記カバーと前記第１同軸電線の前記第１シールド層とに接続される第１金属板と、を有してもよい。この場合、コネクタを組み立てやすい。
【００１４】
〔４〕  〔３〕において、前記多心ケーブルは、前記複数の同軸電線を覆う第２シールド層を備え、前記第１金属板は、前記第２シールド層に接続されてもよい。この場合、同軸電線の第１シールド層を多心ケーブルの第２シールド層に電気的に接続できる。
【００１５】
〔５〕  〔３〕又は〔４〕において、前記第１金属板は、第１本体部と、前記第１本体部から延出し、前記第１同軸電線の前記第１シールド層に接続される第１弾性部材と、を有してもよい。この場合、第１金属板と第１シールド層とを電気的に接続させやすい。
【００１６】
〔６〕  〔５〕において、前記第１弾性部材は、前記第１同軸電線を前記基板に押し付けてもよい。この場合、第１同軸電線が基板上で位置ずれしにくい。
【００１７】
〔７〕  〔５〕又は〔６〕において、前記第１弾性部材は、第１板ばねであってもよい。この場合、第１金属板を作製しやすい。
【００１８】
〔８〕  〔３〕〜〔７〕において、前記基板は、前記第１面とは反対側に、前記複数の同軸電線に含まれる第２同軸電線が接続される第２面を備え、前記コネクタは、前記第２同軸電線が接続された前記第２面を覆い、前記カバーと前記第２同軸電線の前記第１シールド層とに接続される第２金属板を有し、前記第２金属板は、第２本体部と、前記第２本体部から延出し、前記第２同軸電線の前記第１シールド層に接続される第２弾性部材と、を有してもよい。この場合、コネクタを組み立てやすい。
【００１９】
〔９〕  〔８〕において、前記第２弾性部材は、前記第２同軸電線を前記基板に押し付けてもよい。この場合、第２同軸電線が基板上で位置ずれしにくい。
【００２０】
〔１０〕  〔８〕又は〔９〕において、前記第２弾性部材は、第２板ばねであってもよい。この場合、第２金属板を作製しやすい。
【００２１】
〔１１〕  〔８〕〜〔１０〕において、前記第１金属板と前記第２金属板とが互いに連結されていてもよい。この場合、同軸電線を通じて伝送される信号のノイズをより低減できる。
【００２２】
〔１２〕  本開示の他の一態様に係るコネクタ付き多心ケーブルは、第１端部と、第２端部と、を備えたコネクタと、複数の同軸電線を含み、前記第１端部に接続された多心ケーブルと、を有し、前記コネクタは、コネクタ端子を覆う金属製のカバーを前記第２端部に有し、前記複数の同軸電線は、それぞれ第１シールド層を有し、前記第１シールド層と前記カバーとが電気的に接続されており、前記コネクタは、前記多心ケーブルの一端が挿入された外装と、前記複数の同軸電線に含まれる第１同軸電線が接続される第１面と、前記複数の同軸電線に含まれる第２同軸電線が接続される第２面とを備えた基板と、前記第１同軸電線が接続された前記第１面を覆い、前記カバーと前記第１同軸電線の前記第１シールド層とに接続される第１金属板と、前記第２同軸電線が接続された前記第２面を覆い、前記カバーと前記第２同軸電線の前記第１シールド層とに接続される第２金属板と、を有し、前記カバーの一部が前記外装から露出しており、前記第１金属板は、第１本体部と、前記第１本体部から延出し、前記第１同軸電線の前記第１シールド層に接続される第１板ばねと、を有し、前記第２金属板は、第２本体部と、前記第２本体部から延出し、前記第２同軸電線の前記第１シールド層に接続される第２板ばねと、を有し、前記第１金属板と前記第２金属板とが互いに連結されている。
【００２３】
本開示の他の一態様に係るコネクタ付き多心ケーブルによれば、第１シールド層に金属製のカバーを通じてグランド電位を供給でき、同軸電線を通じて伝送される信号のノイズを低減できる。
【００２４】
［本開示の実施形態の詳細］
以下、本開示の実施形態について詳細に説明するが、本実施形態はこれらに限定されるものではない。なお、本明細書及び図面において、実質的に同一の機能構成を有する構成要素については、同一の符号を付することにより重複した説明を省くことがある。
【００２５】
〔多心ケーブルの構成〕
まず、実施形態に係るコネクタ付き多心ケーブルの構成について説明する。図１は、実施形態に係るコネクタ付き多心ケーブルを示す上面図である。図２は、実施形態に係るコネクタ付き多心ケーブルを示す側面図である。
【００２６】
本実施形態に係るコネクタ付き多心ケーブル１は、例えば、電子機器（図示省略）同士を接続するケーブルとして用いることができる。なお、図１等に示すＵ、Ｄ、Ｆ、Ｂ、Ｒ、Ｌはコネクタ付き多心ケーブル１における方向を示すものであり、Ｕは上方、Ｄは下方、Ｆは前方、Ｂは後方、Ｒは右方、Ｌは左方である。図２は左方Ｌからの側面視による側面図である。
【００２７】
コネクタ付き多心ケーブル１は、図１及び図２に示すように、多心ケーブル２と、第１コネクタ３と、第２コネクタ４とを有している。第１コネクタ３は、多心ケーブル２の前方Ｆ側の端部に取り付けられている。第２コネクタ４は、多心ケーブル２の後方Ｂ側の端部に取り付けられている。
【００２８】
〔多心ケーブルの構成〕
次に、多心ケーブルの構成について説明する。図３は、多心ケーブルの構成の概略を示す図である。
【００２９】
図３に示すように、多心ケーブル２は、高速の信号線である同軸電線１１０、１２０、１３０、１４０、１５０、１６０、１７０及び１８０を含む。同軸電線１１０及び１２０を介して高速の第１差動信号が伝送され、同軸電線１３０及び１４０を介して高速の第２差動信号が伝送され、同軸電線１５０及び１６０を介して高速の第３差動信号が伝送され、同軸電線１７０及び１８０を介して高速の第４差動信号が伝送される。多心ケーブル２は、更に、複数、例えば７本の電線２１０を含む。多心ケーブル２は、更に、これら同軸電線及び電線の周囲に設けられた絶縁層２１と、絶縁層２１の周囲に設けられたシールド層２２と、シールド層２２の周囲に設けられた絶縁性の外被２３とを含む。シールド層２２は、例えば編組である。シールド層２２は、第２シールド層の一例である。
【００３０】
〔コネクタの構成〕
次に、コネクタの構成について説明する。第１コネクタ３及び第２コネクタ４は、筐体として、それぞれ、ブーツ１００とストレインリリーフ２００とを有する。第１コネクタ３において、ストレインリリーフ２００はブーツ１００の後方Ｂ側に設けられ、第２コネクタ４において、ストレインリリーフ２００はブーツ１００の前方Ｆ側に設けられる。第２コネクタ４は、多心ケーブル２を基準とした向きを除き、第１コネクタ３と同様の構成を有する。このため、これ以降、第１コネクタ３の構成について詳細に説明し、第２コネクタ４の構成についての説明は省略する。図４は、コネクタの構成を示す斜視図である。
【００３１】
第１コネクタ３においては、ストレインリリーフ２００に貫通孔（図示省略）が形成されており、多心ケーブル２の一端が貫通孔を通じてブーツ１００の内側に挿入されている。つまり、多心ケーブル２は第１コネクタ３の後方Ｂ側の第１端部３１に接続されている。また、図４に示すように、第１コネクタ３は、電子機器のレセプタクル（図示省略）に接続される金属製のコネクタプラグ６を前方Ｆ側の第２端部３２に有する。コネクタプラグ６は、筐体として、略長円筒状の金属シェル６ａを有する。金属シェル６ａの内部には、電子機器のレセプタクルに接続される複数、例えば２４個のコネクタピン６ｂ（図１１及び図１２参照）が収容されている。複数のコネクタピン６ｂは、金属シェル６ａ内に配置されたピン保持板（図示省略）に保持されている。複数のコネクタピン６ｂは、第１コネクタ３及び第２コネクタ４の左方Ｌ、右方Ｒ、上方Ｕ及び下方Ｄの向きを逆にしても電子機器のレセプタクルに接続可能な配列となるように、ピン保持板に保持されている。このように、第１コネクタ３は、後方Ｂ側の第１端部３１と、前方Ｆ側の第２端部３２とを備え、多心ケーブル２が第１端部３１に接続されている。また、第１コネクタ３は、金属シェル６ａを第２端部３２に有する。金属シェル６ａの一部はブーツ１００から露出している。金属シェル６ａは金属製のカバーの一例である。コネクタピン６ｂはコネクタ端子の一例である。ブーツ１００は外装の一例である。
【００３２】
第１コネクタ３は、ブーツ１００の内側に、金属シェル６ａに接続される金属製の枠９０を有する。枠９０は、金属製の上枠７０と、金属製の下枠８０とを含む。上枠７０及び下枠８０は互いに連結されている。下枠８０の上方Ｕに上枠７０が設けられている。上枠７０及び下枠８０は、例えば、いずれも金属板の打ち抜き加工及び曲げ加工により形成されている。例えば、上枠７０、下枠８０に用いられる金属板の厚さは０．１ｍｍ〜０．４ｍｍである。図５は、上枠を示す斜視図である。図６は、上枠を示す下面図である。図７は、下枠を示す斜視図である。図８は、下枠を示す上面図である。
【００３３】
図５及び図６に示すように、上枠７０は、上板７１と、側板７２と、側板７３と、連結部７４と、板ばね７５及び７６と、固定部７７と、つめ部７８とを有する。上板７１は上面視で矩形状の平面形状を有し、側板７２は上板７１の右方Ｒ側の端部から下方Ｄに延び、側板７３は上板７１の左方Ｌ側の端部から下方Ｄに延びる。板ばね７５及び７６は、上板７１から下方Ｄに延出する。板ばね７６が板ばね７５の左方Ｌに設けられている。側板７２の右方Ｒ側の側面に、複数、例えば２個の凸部７２ａがＦＢ方向に並んで形成され、側板７３の左方Ｌ側の側面に、複数、例えば２個の凸部７３ａがＦＢ方向に並んで形成されている。連結部７４は、上板７１の前方Ｆ側につながっている。連結部７４は板状であり、連結部７４に、複数、例えば４個の開口７４ｂが形成されている。連結部７４は開口７４ｂを通じて金属シェル６ａにはんだ付けされる。固定部７７は、上板７１の後方Ｂ側につながっており、多心ケーブル２の周面に倣うように湾曲した板形状を有する。固定部７７に２個のつめ部７８が設けられている。２個のつめ部７８はＲＬ方向で間に固定部７７を挟むようにして設けられている。多心ケーブル２の前方Ｆ側の端部は第１コネクタ３のブーツ１００内にあり、ブーツ１００内で多心ケーブル２の外被２３が剥され、外被２３が剥された部分において、つめ部７８がシールド層２２にかしめられている。つまり、シールド層２２に固定部７７及び２個のつめ部７８が接触し、電気的に接続されている。上枠７０は第１金属板の一例であり、上板７１は第１本体部の一例であり、板ばね７５及び７６は第１弾性部材、第１板ばねの一例である。
【００３４】
図７及び図８に示すように、下枠８０は、下板８１と、側板８２と、側板８３と、連結部８４と、板ばね８５及び８６と、固定部８７とを有する。下板８１は上面視で矩形状の平面形状を有し、側板８２は下板８１の右方Ｒ側の端部から上方Ｕに延び、側板８３は下板８１の左方Ｌ側の端部から上方Ｕに延びる。板ばね８５及び８６は、下板８１から上方Ｕに延出する。板ばね８６が板ばね８５の左方Ｌに設けられている。側板８２に、複数、例えば２個の開口８２ａがＦＢ方向に並んで形成され、側板８３に、複数、例えば２個の開口８３ａがＦＢ方向に並んで形成されている。開口８２ａに凸部７２ａが嵌り、開口８３ａに凸部７３ａが嵌ることで、上枠７０と下枠８０とが互いに連結されている。連結部８４は、下板８１の前方Ｆ側につながっている。連結部８４は板状であり、連結部８４に、複数、例えば４個の開口８４ｂが形成されている。連結部８４は開口８４ｂを通じて金属シェル６ａにはんだ付けされる。固定部８７は、下板８１の後方Ｂ側につながっており、多心ケーブル２の周面に倣うように湾曲した板形状を有する。シールド層２２に固定部８７が接触し、電気的に接続されている。下枠８０は第２金属板の一例であり、下板８１は第２本体部の一例であり、板ばね８５及び８６は第２弾性部材、第２板ばねの一例である。
【００３５】
次に、枠９０の内側の構成について説明する。第１コネクタ３は、枠９０の内側に、多心ケーブル２が接続された第１基板１１を含んでいる。図９は、第１基板を示す上面図である。図１０は、第１基板を示す下面図である。
【００３６】
第１基板１１は、第１面１１Ａ及び第２面１１Ｂを有している。本例では、第１面１１Ａは第１基板１１の上方Ｕ側の面であり、第２面１１Ｂは第１基板１１の下方Ｄ側の面である。第１面１１Ａは上板７１に対向し、第２面１１Ｂは下板８１に対向する。第１基板１１は、パッド群４０ｆと、コネクタパッド群６０ｆとを有している。コネクタパッド群６０ｆは、パッド群４０ｆの前方Ｆに設けられている。第１基板１１は、パッド群４０ｆと、コネクタパッド群６０ｆとを接続する配線層（図示省略）を含む。パッド群４０ｆとコネクタパッド群６０ｆは、第１基板１１の第１面１１Ａ及び第２面１１Ｂに設けられている。例えば、第１基板１１の厚さは０．５ｍｍ〜１．０ｍｍである。第１基板１１は略平板状に形成されている。第１基板１１に、キャパシタ及び半導体集積回路（ＩＣ）チップ等の電子部品が実装されていてもよい。
【００３７】
パッド群４０ｆは、第１面１１Ａに設けられた第１面側パッド群４０Ａｆと、第２面１１Ｂに設けられた第２面側パッド群４０Ｂｆとを有している。図９に示すように、第１面側パッド群４０Ａｆは、パッド４１、４２、４３、４４、４５、４６、４７、４８、４９及び５０を有する。図１０に示すように、第２面側パッド群４０Ｂｆは、パッド５１、５２、５３、５４、５５、５６、５７、５８及び５９を有する。
【００３８】
図９に示すように、第１面１１Ａ上において、パッド４５の左方Ｌにパッド４６が設けられ、パッド４５とパッド４６との間に、右方Ｒから左方Ｌに向けて順に、パッド４７、４８、４９及び５０が設けられている。第１面１１Ａ上において、パッド４５の前方Ｆにパッド４１及び４２が設けられ、パッド４６の前方Ｆにパッド４３及び４４が設けられている。パッド４２がパッド４１の左方Ｌに設けられ、パッド４４がパッド４３の左方Ｌに設けられている。パッド４３がパッド４２の左方Ｌに設けられている。
【００３９】
図１０に示すように、第２面１１Ｂ上において、パッド５５の左方Ｌにパッド５６が設けられ、パッド５５とパッド５６との間に、右方Ｒから左方Ｌに向けて順に、パッド５７、５８及び５９が設けられている。第２面１１Ｂ上において、パッド５５の前方Ｆにパッド５１及び５２が設けられ、パッド５６の前方Ｆにパッド５３及び５４が設けられている。パッド５２がパッド５１の左方Ｌに設けられ、パッド５４がパッド５３の左方Ｌに設けられている。パッド５３がパッド５２の左方Ｌに設けられている。
【００４０】
コネクタパッド群６０ｆは、第１面１１Ａに設けられた第１面側コネクタパッド群６０Ａｆと、第２面１１Ｂに設けられた第２面側コネクタパッド群６０Ｂｆとを有している。図９に示すように、第１面側コネクタパッド群６０Ａｆは、コネクタパッドＡ１、Ａ２、Ａ３、Ａ４、Ａ５、Ａ６、Ａ７、Ａ８、Ａ９、Ａ１０、Ａ１１及びＡ１２を有する。第１面側コネクタパッド群６０ＡｆのコネクタパッドＡ１〜Ａ１２は、第１面１１Ａの左方Ｌから右方Ｒに向けて順に一列に設けられている。図１０に示すように、第２面側コネクタパッド群６０Ｂｆは、コネクタパッドＢ１、Ｂ２、Ｂ３、Ｂ４、Ｂ５、Ｂ６、Ｂ７、Ｂ８、Ｂ９、Ｂ１０、Ｂ１１及びＢ１２を有する。第２面側コネクタパッド群６０ＢｆのコネクタパッドＢ１〜Ｂ１２は、第２面１１Ｂの右方Ｒから左方Ｌに向けて順に一列に設けられている。
【００４１】
コネクタパッドＡ１及びＡ１２は、接地用のグランド端子（ＧＮＤ）である。コネクタパッドＡ２及びＡ３は、高速信号送信用の端子（ＴＸ１＋、ＴＸ１−）である。コネクタパッドＡ４及びＡ９は、バス給電用の端子（ＶＢＵＳ）である。コネクタパッドＡ５は、コンフィギュレーションチャンネル（Configuration Channel）端子（ＣＣ）である。コネクタパッドＡ６及びＡ７は、データ信号用の端子（Ｄ＋、Ｄ−）である。コネクタパッドＡ８は、サイドバンド用の端子（ＳＢＵ１）である。コネクタパッドＡ１０及びＡ１１は、高速信号受信用の端子（ＲＸ２＋、ＲＸ２−）である。
【００４２】
コネクタパッドＢ１及びＢ１２は、接地用のグランド端子（ＧＮＤ）である。コネクタパッドＢ２及びＢ３は、高速信号送信用の端子（ＴＸ２＋、ＴＸ２−）である。コネクタパッドＢ４及びＢ９は、バス給電用の端子（ＶＢＵＳ）である。コネクタパッドＢ５は、接続電源用の端子（ＶＣＯＮＮ）である。コネクタパッドＢ８は、サイドバンド用の端子（ＳＢＵ２）である。コネクタパッドＢ１０及びＢ１１は、高速信号受信用の端子（ＲＸ１＋、ＲＸ１−）である。
【００４３】
第１面側パッド群４０Ａｆ、第２面側パッド４０群Ｂｆは、第１基板１１の内部に設けられた配線層を介して、第１面側コネクタパッド群６０Ａｆ、第２面側コネクタパッド群６０Ｂｆに接続されている。例えば、パッド４１〜４４及び５１〜５４は、高速信号送信用の端子（ＴＸ１＋、ＴＸ１−）又は高速信号受信用の端子（ＲＸ２＋、ＲＸ２−）であるコネクタパッドＡ２、Ａ３、Ａ１０、Ａ１１、Ｂ２、Ｂ３、Ｂ１０、Ｂ１１のいずれかに接続される。例えば、パッド４１はコネクタパッドＡ１１に接続され、パッド４２はコネクタパッドＡ１０に接続され、パッド４３はコネクタパッドＡ３に接続され、パッド４４はコネクタパッドＡ２に接続される。例えば、パッド５１はコネクタパッドＢ２に接続され、パッド５２はコネクタパッドＢ３に接続され、パッド５３はコネクタパッドＢ１０に接続され、パッド５４はコネクタパッドＢ１１に接続される。また、例えば、パッド４５はコネクタパッドＡ１２に接続され、パッド４６はコネクタパッドＡ１に接続され、パッド５５はコネクタパッドＢ１に接続され、パッド５６はコネクタパッドＢ１２に接続される。
【００４４】
ＲＬ方向で、第１面側コネクタパッド群６０Ａｆを間に挟むようにして、接地用のグランドパッドＣ１及びＣ２が第１面１１Ａに設けられている。グランドパッドＣ１は第１面側コネクタパッド群６０Ａｆの右方Ｒに設けられ、グランドパッドＣ２は第１面側コネクタパッド群６０Ａｆの左方Ｌに設けられている。グランドパッドＣ１がコネクタパッドＡ１２に接続されていてもよく、グランドパッドＣ２がコネクタパッドＡ１に接続されていてもよい。
【００４５】
ＲＬ方向で、第２面側コネクタパッド群６０Ｂｆを間に挟むようにして、接地用のグランドパッドＤ１及びＤ２が第２面１１Ｂに設けられている。グランドパッドＤ１は第２面側コネクタパッド群６０Ｂｆの右方Ｒに設けられ、グランドパッドＤ２は第２面側コネクタパッド群６０Ｂｆの左方Ｌに設けられている。グランドパッドＤ１がコネクタパッドＢ１に接続されていてもよく、グランドパッドＤ２がコネクタパッドＢ１２に接続されていてもよい。
【００４６】
次に、第１基板１１と、多心ケーブル２と、コネクタプラグ６との関係について説明する。図１１は、第１基板、多心ケーブル及びコネクタプラグを示す上面図である。図１２は、第１基板、多心ケーブル及びコネクタプラグを示す下面図である。
【００４７】
図１１及び図１２に示すように、多心ケーブル２に含まれる、同軸電線１１０、１２０、１３０、１４０、１５０、１６０、１７０及び１８０と、複数、例えば７本の電線２１０とがパッド４１〜５９（パッド群４０ｆ）に接続される。また、コネクタプラグ６に含まれる、複数、例えば２４個のコネクタピン６ｂがコネクタパッドＡ１〜Ａ１２及びＢ１〜Ｂ１２（コネクタパッド群６０ｆ）に接続される。
【００４８】
同軸電線１１０は、中心導体１１１と、中心導体１１１の周囲に設けられた絶縁層１１２と、絶縁層１１２の周囲に設けられた外部導体１１３と、外部導体１１３の周囲に設けられた絶縁性の外被１１４とを含む。中心導体１１１がパッド４１に接続され、外部導体１１３がパッド４５に接続されている。
【００４９】
同軸電線１２０は、中心導体１２１と、中心導体１２１の周囲に設けられた絶縁層１２２と、絶縁層１２２の周囲に設けられた外部導体１２３と、外部導体１２３の周囲に設けられた絶縁性の外被１２４とを含む。中心導体１２１がパッド４２に接続され、外部導体１２３がパッド４５に接続されている。
【００５０】
同軸電線１３０は、中心導体１３１と、中心導体１３１の周囲に設けられた絶縁層１３２と、絶縁層１３２の周囲に設けられた外部導体１３３と、外部導体１３３の周囲に設けられた絶縁性の外被１３４とを含む。中心導体１３１がパッド４３に接続され、外部導体１３３がパッド４６に接続されている。
【００５１】
同軸電線１４０は、中心導体１４１と、中心導体１４１の周囲に設けられた絶縁層１４２と、絶縁層１４２の周囲に設けられた外部導体１４３と、外部導体１４３の周囲に設けられた絶縁性の外被１４４とを含む。中心導体１４１がパッド４４に接続され、外部導体１４３がパッド４６に接続されている。
【００５２】
同軸電線１５０は、中心導体１５１と、中心導体１５１の周囲に設けられた絶縁層１５２と、絶縁層１５２の周囲に設けられた外部導体１５３と、外部導体１５３の周囲に設けられた絶縁性の外被１５４とを含む。中心導体１５１がパッド５１に接続され、外部導体１５３がパッド５５に接続されている。
【００５３】
同軸電線１６０は、中心導体１６１と、中心導体１６１の周囲に設けられた絶縁層１６２と、絶縁層１６２の周囲に設けられた外部導体１６３と、外部導体１６３の周囲に設けられた絶縁性の外被１６４とを含む。中心導体１６１がパッド５２に接続され、外部導体１６３がパッド５５に接続されている。
【００５４】
同軸電線１７０は、中心導体１７１と、中心導体１７１の周囲に設けられた絶縁層１７２と、絶縁層１７２の周囲に設けられた外部導体１７３と、外部導体１７３の周囲に設けられた絶縁性の外被１７４とを含む。中心導体１７１がパッド５３に接続され、外部導体１７３がパッド５６に接続されている。
【００５５】
同軸電線１８０は、中心導体１８１と、中心導体１８１の周囲に設けられた絶縁層１８２と、絶縁層１８２の周囲に設けられた外部導体１８３と、外部導体１８３の周囲に設けられた絶縁性の外被１８４とを含む。中心導体１８１がパッド５４に接続され、外部導体１８３がパッド５６に接続されている。
【００５６】
同軸電線１１０、１２０、１３０、１４０は第１同軸電線の一例であり、外部導体１１３、１２３、１３３及び１４３は第１シールド層の一例である。同軸電線１５０、１６０、１７０及び１８０は第２同軸電線の一例であり、外部導体１５３、１６３、１７３及び１８３は第１シールド層の一例である。
【００５７】
電線２１０は、それぞれ、導体２１１と、導体２１１の周囲に設けられた絶縁層２１２とを含む。各電線２１０の導体２１１は、パッド４７、４８、４９、５０、５７、５８、５９のいずれかに接続されている。
【００５８】
コネクタパッドＡ１〜Ａ１２及びＢ１〜Ｂ１２に、１個ずつコネクタピン６ｂが接続されている。また、グランドパッドＣ１、Ｃ２、Ｄ１及びＤ２に金属シェル６ａが接触している。
【００５９】
ここで、金属製の枠９０と同軸電線１１０、１２０、１３０、１４０、１５０、１６０、１７０及び１８０との関係について説明する。図１３は、金属製の枠と同軸電線との関係を示す斜視断面図である。
【００６０】
板ばね７５は、金属製の枠９０が多心ケーブル２に固定された時にパッド４５の上方Ｕに位置するように上枠７０に設けられている。板ばね７６は、枠９０が多心ケーブル２に固定された時にパッド４６の上方Ｕに位置するように上枠７０に設けられている。板ばね８５は、枠９０が多心ケーブル２に固定された時にパッド５５の下方Ｄに位置するように下枠８０に設けられている。板ばね８６は、枠９０が多心ケーブル２に固定された時にパッド５６の下方Ｄに位置するように下枠８０に設けられている。上述のように、パッド４５には、同軸電線１１０の外部導体１１３と、同軸電線１２０の外部導体１２３とが接続されている。パッド４６には、同軸電線１３０の外部導体１３３と、同軸電線１４０の外部導体１４３とが接続されている。パッド５５には、同軸電線１５０の外部導体１５３と、同軸電線１６０の外部導体１６３とが接続されている。パッド５６には、同軸電線１７０の外部導体１７３と、同軸電線１８０の外部導体１８３とが接続されている。
【００６１】
そして、板ばね７５は、外部導体１１３及び１２３に接触し、同軸電線１１０及び１２０を第１基板１１に押し付ける。板ばね７６は、外部導体１３３及び１４３に接触し、同軸電線１３０及び１４０を第１基板１１に押し付ける。板ばね８５は、外部導体１５３及び１６３に接触し、同軸電線１５０及び１６０を第１基板１１に押し付ける。板ばね８６は、外部導体１７３及び１８３に接触し、同軸電線１７０及び１８０を第１基板１１に押し付ける。つまり、板ばね７５は外部導体１１３及び１２３に接続され、板ばね７６は外部導体１３３及び１４３に接続され、板ばね８５は外部導体１５３及び１６３に接続され、板ばね８６は外部導体１７３及び１８３に接続されている。
【００６２】
本実施形態では、金属製の上枠７０が金属シェル６ａにはんだ付けされている。また、上枠７０に設けられた板ばね７５が外部導体１１３及び１２３に接続され、板ばね７６が外部導体１３３及び１４３に接続されている。つまり、外部導体１１３、１２３、１３３及び１４３と金属シェル６ａとが電気的に接続されている。このため、外部導体１１３、１２３、１３３及び１４３には、コネクタパッドＡ１及びＡ１２と第１基板１１の配線層とを通じてグランド電位が供給されるだけでなく、金属シェル６ａを通じてもグランド電位が供給される。従って、同軸電線１１０、１２０、１３０及び１４０を通じて伝送される信号のノイズを低減し、信頼性を向上できる。
【００６３】
同様に、金属製の下枠８０が金属シェル６ａにはんだ付けされている。また、下枠８０に設けられた板ばね８５が外部導体１５３及び１６３に接続され、板ばね８６が外部導体１７３及び１８３に接続されている。つまり、外部導体１５３、１６３、１７３及び１８３と金属シェル６ａとが電気的に接続されている。このため、外部導体１５３、１６３、１７３及び１８３には、コネクタパッドＢ１及びＢ１２と第１基板１１の配線層とを通じてグランド電位が供給されるだけでなく、金属シェル６ａを通じてもグランド電位が供給される。従って、同軸電線１５０、１６０、１７０及び１８０を通じて伝送される信号のノイズを低減し、信頼性を向上できる。
【００６４】
外部導体１１３、１２３、１３３及び１４３と金属シェル６ａとの電気的な接続に上枠７０が用いられ、外部導体１５３、１６３、１７３及び１８３と金属シェル６ａとの電気的な接続に下枠８０が用いられているため、容易に組み立てることができる。
【００６５】
本実施形態では、上枠７０が、つめ部７８を介して多心ケーブル２のシールド層２２に接続されているため、外部導体１１３、１２３、１３３及び１４３はシールド層２２にも電気的に接続されている。従って、同軸電線１１０、１２０、１３０及び１４０を通じて伝送される信号のノイズをより低減し、信頼性をより向上できる。また、開口８２ａに凸部７２ａが嵌り、開口８３ａに凸部７３ａが嵌ることで、上枠７０と下枠８０とが互いに連結されている。このため、外部導体１５３、１６３、１７３及び１８３はシールド層２２にも電気的に接続されている。従って、同軸電線１５０、１６０、１７０及び１８０を通じて伝送される信号のノイズをより低減し、信頼性をより向上できる。
【００６６】
板ばね７５が同軸電線１１０及び１２０を第１基板１１に押し付けているため、同軸電線１１０及び１２０が第１基板１１上で位置ずれしにくく、外部導体１１３及び１２３とパッド４５との間に優れた接続信頼性が得られる。また、はんだ付けを行わずとも板ばね７５と外部導体１１３及び１２３との電気的な接続を長期にわたって維持できる。外部導体１１３及び１２３をパッド４５にはんだ付けした後に板ばね７５と外部導体１１３及び１２３との接続のためにはんだ付けを行うと、外部導体１１３及び１２３がパッド４５から離れるおそれがある。板ばね７５と外部導体１１３及び１２３との接続のためのはんだ付けを省略することで、外部導体１１３及び１２３のパッド４５からの離脱を抑制できる。板ばね７６、８５及び８６についても同様である。
【００６７】
また、板ばね７５及び７６からは同軸電線１１０、１２０、１３０及び１４０を介して第１基板１１に下方Ｄ向きの力が作用し、板ばね８５及び８６からは同軸電線１５０、１６０、１７０及び１８０を介して第１基板１１に上方Ｕ向きの力が作用する。従って、第１基板１１のＵＤ方向の位置は、板ばね７５及び７６のばね力と板ばね８５及び８６のばね力とが釣り合う位置で安定する。例えば、板ばね７５及び７６のばね力と板ばね８５及び８６のばね力とが同等であれば、第１基板１１のＵＤ方向の位置は枠９０の中央近傍で安定する。
【００６８】
板ばね７５、７６、８５及び８６は金属板の打ち抜き加工及び曲げ加工により容易に形成できる。従って、上枠７０及び下枠８０を作製しやすい。
【００６９】
また、多心ケーブル２の一端がブーツ１００に挿入され、金属シェル６ａの一部がブーツ１００から露出しているため、金属シェル６ａを電子機器のレセプタクルに接続可能としながら、多心ケーブル２のブーツ１００の内側の部分を外部から絶縁できる。
【００７０】
以上、実施形態について詳述したが、特定の実施形態に限定されるものではなく、請求の範囲に記載された範囲内において、種々の変形及び変更が可能である。
【符号の説明】
【００７１】
１：コネクタ付き多心ケーブル
２：多心ケーブル
３：第１コネクタ
４：第２コネクタ
６：コネクタプラグ
６ａ：金属シェル
６ｂ：コネクタピン
１１：第１基板
１１Ａ：第１面
１１Ｂ：第２面
２１：絶縁層
２２：シールド層
２３：外被
３１：第１端部
３２：第２端部
４０Ａｆ：第１面側パッド群
４０Ｂｆ：第２面側パッド群
４０ｆ：パッド群
４１、４２、４３、４４、４５、４６、４７、４８、４９、５０、５１、５２、５３、５４、５５、５６、５７、５８、５９：パッド
６０Ａｆ：第１面側コネクタパッド群
６０Ｂｆ：第２面側コネクタパッド群
６０ｆ：コネクタパッド群
７０：上枠
７１：上板
７２：側板
７２ａ：凸部
７３：側板
７３ａ：凸部
７４：連結部
７４ｂ：開口
７７：固定部
７８：つめ部
８０：下枠
８１：下板
８２：側板
８２ａ：開口
８３：側板
８３ａ：開口
８４：連結部
８４ｂ：開口
８７：固定部
９０：枠
１００：ブーツ
１１０、１２０、１３０、１４０、１５０、１６０、１７０、１８０：同軸電線
１１１、１２１、１３１、１４１、１５１、１６１、１７１、１８１：中心導体
１１２、１２２、１３２、１４２、１５２、１６２、１７２、１８２：絶縁層
１１３、１２３、１３３、１４３、１５３、１６３、１７３、１８３：外部導体
１１４、１２４、１３４、１４４、１５４、１６４、１７４、１８４：外被
２００：ストレインリリーフ
２１０：電線
２１１：導体
２１２：絶縁層
Ａ１、Ａ２、Ａ３、Ａ４、Ａ５、Ａ６、Ａ７、Ａ８、Ａ９、Ａ１０、Ａ１１、Ａ１２、Ｂ１、Ｂ２、Ｂ３、Ｂ４、Ｂ５、Ｂ６、Ｂ７、Ｂ８、Ｂ９、Ｂ１０、Ｂ１１、Ｂ１２：コネクタパッド
Ｃ１、Ｃ２、Ｄ１、Ｄ２：グランドパッド
【要約】
コネクタ付き多心ケーブルは、第１端部と、第２端部と、を備えたコネクタと、複数の同軸電線を含み、前記第１端部に接続された多心ケーブルと、を有し、前記コネクタは、コネクタ端子を覆う金属製のカバーを前記第２端部に有し、前記複数の同軸電線は、それぞれ第１シールド層を有し、前記第１シールド層と前記カバーとが電気的に接続されている。【図１】
0006940026.tif 000002
【図２】
0006940026.tif 000003
【図３】
0006940026.tif 000004
【図４】
0006940026.tif 000005
【図５】
0006940026.tif 000006
【図６】
0006940026.tif 000007
【図７】
0006940026.tif 000008
【図８】
0006940026.tif 000009
【図９】
0006940026.tif 000010
【図１０】
0006940026.tif 000011
【図１１】
0006940026.tif 000012
【図１２】
0006940026.tif 000013
【図１３】
0006940026.tif 000014